(57)【特許請求の範囲】
【請求項１】
液晶パネルにＧａｍｍａ電圧を提供するために用いられるＧａｍｍａ電圧発生モジュールの設計方法であって、
前記液晶パネルは、複数個の画素ユニットからなり、
各前記画素ユニットは、メイン画素エリアＭとサブ画素エリアＳとからなり、
前記メイン画素エリアＭの面積と前記サブ画素エリアＳの面積との比はａ：ｂであってかつａ＞ｂであり、
当該Ｇａｍｍａ電圧発生モジュールの設計方法は、
手順Ｓ１０１では、前記液晶パネルの正視角度αにおける各グレースケール値Ｇｋの実際の輝度Ｌｖ（実）Ｔα（Ｇｋ）を取得し、
手順Ｓ１０２では、前記液晶パネルの斜視角度βにおける各グレースケール値Ｇの実際の輝度Ｌｖ（実）Ｔβ（Ｇｋ）を取得し、
前記正視角度αは０°であり、
前記斜視角度βは３０〜８０°であり、
手順Ｓ１０３では、前記メイン画素エリアＭとサブ画素エリアＳの面積比に基づき、実際の輝度Ｌｖ（実）Ｔα（Ｇｋ）、Ｌｖ（実）Ｔβ（Ｇｋ）を分割して、グレースケール値Ｇｋに対する前記メイン画素エリアＭと前記サブ画素エリアＳの実際の輝度Ｌｖ（実）Ｍα（Ｇｋ）、Ｌｖ（実）Ｍβ（Ｇｋ）、Ｌｖ（実）Ｓα（Ｇｋ）、Ｌｖ（実）Ｓβ（Ｇｋ）を取得し、
手順Ｓ１０４では、手順Ｓ１０１とＳ１０２で取得した最大グレースケール値Ｇｍａｘの実際の輝度Ｌｖ（実）Ｔα（Ｇｍａｘ）、Ｌｖ（実）Ｔβ（Ｇｍａｘ）と、
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））、および、
（Ｇｋ／Ｇｍａｘ）γ＝（Ｌｖ（理）Ｔβ（Ｇｋ）／Ｌｖ（実）Ｔβ（Ｇｍａｘ））、の関係式と、を用いて、
画素ユニットのグレースケール値Ｇｋに対する前記メイン画素エリアＭと前記サブ画素エリアＳの理論輝度（Ｌｖ（理）Ｔα（Ｇｋ）、Ｌｖ（理）Ｔβ（Ｇｋ））を計算し、
手順Ｓ１０５では、画素ユニットのグレースケール値Ｇｋに対して、前記メイン画素エリアＭおよび前記サブ画素エリアＳのグレースケール値の組合せ（Ｇｍｋ、Ｇｓｋ）を以下の関係式によって決定することで、正視角度αと斜視角度βにおいて、実際の輝度と理論輝度との差の和ｙｋが最小となるようにし、
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
このとき、Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝および｛Ｌｖ（実）Ｓβ（Ｇｓｋ）｝のすべての組み合わせを上記の式に代入して試算し、画素ユニットのグレースケール値Ｇｋに対して、ｙｋが最小値となるグレースケール値Ｇｍｋ、Ｇｓｋの組みを求め、
手順Ｓ１０６において、前記画素ユニットの各グレースケール値Ｇｋに対して、前記手順Ｓ１０５を繰り返し、全てのグレースケール値Ｇｋにおいて前記メイン画素エリアＭおよび前記サブ画素エリアＳのグレースケール値の組合せ（Ｇｍｋ、Ｇｓｋ）を決定し、
前記Ｇａｍｍａ電圧発生モジュールは、基準電圧ユニットと、第一分圧直列抵抗と、第二分圧直列抵抗とからなり、前記基準電圧ユニットは、分圧直列抵抗に基準電圧を提供するために用いられ、
前記第一分圧直列抵抗は、前記基準電圧ユニットと接続されるとともに、基準電圧を分圧して前記グレースケール値Ｇｍｋと対応するＧａｍｍａ電圧Ｇｍ−Ｖを生成して、前記メイン画素エリアＭに提供し、
前記第二分圧直列抵抗は、前記基準電圧ユニットと接続されるとともに、基準電圧を分圧して前記グレースケール値Ｇｓｋと対応するＧａｍｍａ電圧Ｇｓ−Ｖを生成して、前記サブ画素エリアＳに提供するものであり、
前記Ｇａｍｍａ電圧発生モジュールは、前記画素ユニットのグレースケール値Ｇｋに対して、前記手順Ｓ１０６で設定されたメイン画素エリアＭおよびサブ画素エリアＳのグレースケール値の組合せ（Ｇｍｋ、Ｇｓｋ）に基づき、
前記グレースケール値Ｇｍｋと対応するＧａｍｍａ電圧Ｇｍ−Ｖを生成して、前記メイン画素エリアＭに提供し、
前記グレースケール値Ｇｓｋと対応するＧａｍｍａ電圧Ｇｓ−Ｖを生成して、前記サブ画素エリアＳに提供するものであり、
さらに、前記第一分圧直列抵抗と第二分圧直列抵抗の中の、少なくとも０、Ｇｘ、Ｇｘ＋１及び最大グレースケール値ＧｍａｘのＧａｍｍａ電圧発生点は基準電圧と接続され、
このうち、Ｇｘは、前記画素ユニットのグレースケール値Ｇｋをメイン画素エリアＭのグレースケール値Ｇｍｋとサブ画素エリアＳのグレースケール値Ｇｓｋの組合せに変換する時の輝度反転と対応するグレースケール値Ｇｘである
ことを特徴とするＧａｍｍａ電圧発生モジュールの設計方法。
なお、ｋは序数であって、Ｇｋはグレースケール値であり、ｋが０からｍａｘのときＧｋは０からＧｍａｘであって、
メイン画素エリアＭ及びサブ画素エリアＳのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【請求項２】
請求項１に記載のＧａｍｍａ電圧発生モジュールの設計方法において、
前記斜視角度βは６０°である
ことを特徴とするＧａｍｍａ電圧発生モジュールの設計方法。
【請求項３】
請求項１または請求項２に記載のＧａｍｍａ電圧発生モジュールの設計方法において、
前記最大グレースケール値Ｇｍａｘは２５５グレースケールである
ことを特徴とするＧａｍｍａ電圧発生モジュールの設計方法。
【請求項４】
請求項３に記載のＧａｍｍａ電圧発生モジュールの設計方法において、
グレースケール値０、３２、１２８、Ｇｘ、Ｇｘ＋１、２２４及び２５５に対応するＧａｍｍａ電圧発生点は、基準電圧と接続される
ことを特徴とするＧａｍｍａ電圧発生モジュールの設計方法。
【請求項５】
請求項１から請求項４のいずれかに記載のＧａｍｍａ電圧発生モジュールの設計方法において、
前記第一分圧直列抵抗と第二分圧直列抵抗に接続される基準電圧は、同等ではない
ことを特徴とするＧａｍｍａ電圧発生モジュールの設計方法。
【請求項６】
請求項１から請求項５のいずれかに記載のＧａｍｍａ電圧発生モジュールの設計方法において、
前記液晶パネルの正視角度αと斜視角度βにおけるｇａｍｍａ曲線を取得するとともに、ｇａｍｍａ曲線に基づいて前記実際の輝度Ｌｖ（実）Ｔα（Ｇｋ）、Ｌｖ（実）Ｔβ（Ｇｋ）を決定する
ことを特徴とするＧａｍｍａ電圧発生モジュールの設計方法。
【請求項７】
請求項１から請求項６のいずれかに記載のＧａｍｍａ電圧発生モジュールの設計方法において、
更に、手順Ｓ１０６を完了した後、画素ユニットのグレースケール値Ｇｋとメイン画素エリアＭのグレースケール値Ｇｍｋの関係Ｇｍ−Ｌｖ曲線、及び画素ユニットのグレースケール値Ｇｋとサブ画素エリアＳのとグレースケール値Ｇｓｋの関係Ｇｓ−Ｌｖ曲線を算出し、
さらに、
前記Ｇｍ−Ｌｖ曲線及びＧｓ−Ｌｖ曲線中に現れた特異点に対し、平滑化処理を行う
ことを特徴とするＧａｍｍａ電圧発生モジュールの設計方法。
【発明の詳細な説明】
【技術分野】
【０００１】
本発明は、液晶表示器の技術に関し、特に、液晶表示器におけるＧａｍｍａ電圧発生モジュール及び前記Ｇａｍｍａ電圧発生モジュールを備えた液晶パネルに関する。
【背景技術】
【０００２】
液晶表示器、或はＬＣＤ（Ｌｉｑｕｉｄ  Ｃｒｙｓｔａｌ  Ｄｉｓｐｌａｙ）は、平面で極薄の表示装置であり、所定の数のカラー或はモノクロ画素によってなるとともに、光源或は反射板の前方に設けられる。
液晶表示器の消費電力は非常に低く、且つ高画質・体積が小さい・軽量といった特長を備えているため、多くの人々に支持され、表示器の主流になっている。
液晶表示器は、既に各種の電子製品において幅広く使用されている（例えば、表示モニタを備えたコンピュータ機器・携帯電話・デジタルフォトフレーム等）。
また広視野角技術は、現在の液晶表示器の発展における重点の一つである。
しかし、側視や斜視の視角が大き過ぎる場合、広視野角液晶表示器は色ズレ（ｃｏｌｏｒ  ｓｈｉｆｔ）現象を生じやすい。
【０００３】
広視野角液晶表示器で生じる色ズレ現象の問題に対して、現在業界では２Ｄ１Ｇ技術を用いて改善がなされている。
２Ｄ１Ｇ技術とは、液晶パネルにおいて、各画素ユニット（ｐｉｘｅｌ）を面積が異なるメイン画素エリア（Ｍａｉｎ  ｐｉｘｅｌ）とサブ画素エリア（Ｓｕｂ  ｐｉｘｅｌ）に分けるとともに、同一画素ユニットにおけるメイン画素エリアとサブ画素エリアは、異なるデータ線（Ｄａｔａ  ｌｉｎｅ）と同一の走査線（Ｇａｔｅ  ｌｉｎｅ）に接続される。
メイン画素エリアとサブ画素エリアに異なるデータ信号（異なるグレースケール値）が入力されることで、異なる正視輝度と斜視輝度が産出され、これにより側視或は斜視時に生じる色ズレ問題を減らすことが出来る。
一つの画素ユニットにおける一つのグレースケール値について、メイン画素エリアとサブ画素エリアのグレースケール値をそれぞれ設定することで、メイン画素エリアとサブ画素エリアのグレースケール値の組合せによって色ズレの問題を減らすことが出来る。
【０００４】
実際のハードウェア機器において、液晶表示パネルの駆動は、ゲート駆動モジュールとソース駆動モジュールがそれぞれ液晶表示ユニットに走査信号とデータ信号を提供するとともに、異なるデータ信号電圧とコモン電極電圧の間の圧差によって、液晶体の回転角度が同一でなくなり、これにより輝度の差が生まれる。
即ち、液晶パネルの表示において異なるグレースケールが形成される。
液晶パネルにおいて、データ信号電圧とグレースケール値の間における関係曲線はＧａｍｍａ曲線と呼ばれる。
例えば８ｂｉｔ液晶パネルでは、２８＝２５６個のグレースケール値を表示することが可能で、２５６個の異なるＧａｍｍａ電圧に対応している。
Ｇａｍｍａ電圧は、白色から黒色までの変化過程を２のＮ乗冪等分に分割する。
よって、２Ｄ１Ｇ技術においては、二組の０−２５５グレースケール値のＧａｍｍａ電圧を生成する必要がある。
【発明の概要】
【発明が解決しようとする課題】
【０００５】
上記に鑑み、本発明は、２Ｄ１Ｇ技術において液晶パネルに二組の０−２５５グレースケール値のＧａｍｍａ電圧を提供する必要があるという問題を解決する、Ｇａｍｍａ電圧発生モジュールを提供することを目的とする。
【課題を解決するための手段】
【０００６】
上述の目的を達成するために、本発明は下記の技術手法を用いる。
【０００７】
本発明のＧａｍｍａ電圧発生モジュールの設計方法は、
液晶パネルにＧａｍｍａ電圧を提供するために用いられるＧａｍｍａ電圧発生モジュールの設計方法であって、
前記液晶パネルは、複数個の画素ユニットからなり、
各前記画素ユニットは、メイン画素エリアＭとサブ画素エリアＳとからなり、
前記メイン画素エリアＭの面積と前記サブ画素エリアＳの面積との比はａ：ｂであってかつａ＞ｂであり、
当該Ｇａｍｍａ電圧発生モジュールの設計方法は、
手順Ｓ１０１では、前記液晶パネルの正視角度αにおける各グレースケール値Ｇｋの実際の輝度Ｌｖ（実）Ｔα（Ｇｋ）を取得し、
手順Ｓ１０２では、前記液晶パネルの斜視角度βにおける各グレースケール値Ｇの実際の輝度Ｌｖ（実）Ｔβ（Ｇｋ）を取得し、
手順Ｓ１０３では、前記メイン画素エリアＭとサブ画素エリアＳの面積比に基づき、実際の輝度Ｌｖ（実）Ｔα（Ｇｋ）、Ｌｖ（実）Ｔβ（Ｇｋ）を分割して、グレースケール値Ｇｋに対する前記メイン画素エリアＭと前記サブ画素エリアＳの実際の輝度Ｌｖ（実）Ｍα（Ｇｋ）、Ｌｖ（実）Ｍβ（Ｇｋ）を取得し、
手順Ｓ１０４では、手順Ｓ１０１とＳ１０２で取得した最大グレースケール値Ｇｍａｘの実際の輝度Ｌｖ（実）Ｍα（Ｇｍａｘ）、Ｌｖ（実）Ｍβ（Ｇｍａｘ）と、
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））、および、
（Ｇｋ／Ｇｍａｘ）γ＝（Ｌｖ（理）Ｔβ（Ｇｋ）／Ｌｖ（実）Ｔβ（Ｇｍａｘ））、の関係式と、を用いて、
画素ユニットのグレースケール値Ｇｋに対する前記メイン画素エリアＭと前記サブ画素エリアＳの理論輝度（Ｌｖ（理）Ｔα（Ｇｋ）、Ｌｖ（理）Ｔβ（Ｇｋ））を計算し、
手順Ｓ１０５では、画素ユニットのグレースケール値Ｇｋに対して、前記メイン画素エリアＭおよび前記サブ画素エリアＳのグレースケール値（Ｇｍｋ、Ｇｓｋ）の組合せを以下の関係式によって決定することで、正視角度αと斜視角度βにおいて、実際の輝度と理論輝度との差の和ｙｋが最小となるようにし、
Δ１ｋ＝Ｌｖ（実）Ｍα（Ｇｍｋ）＋Ｌｖ（実）Ｓα（Ｇｓｋ）−Ｌｖ（理）Tα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Tβ（Ｇｋ）、
ｙｋ＝Δ１ｋ２＋Δ２ｋ２
手順Ｓ１０６において、前記画素ユニットの各グレースケール値Ｇｋに対して、前記手順Ｓ１０５を繰り返し、全てのグレースケール値Ｇｋにおいて前記メイン画素エリアＭおよび前記サブ画素エリアＳのグレースケール値の組合せ（Ｇｍｋ、Ｇｓｋ）を決定し、
前記Ｇａｍｍａ電圧発生モジュールは、基準電圧ユニットと、第一分圧直列抵抗と、第二分圧直列抵抗とからなり、前記基準電圧ユニットは、分圧直列抵抗に基準電圧を提供するために用いられ、
前記第一分圧直列抵抗は、前記基準電圧ユニットと接続されるとともに、基準電圧を分圧して前記グレースケール値Ｇｍｋと対応するＧａｍｍａ電圧Ｇｍ−Ｖを生成して、前記メイン画素エリアＭに提供し、
前記第二分圧直列抵抗は、前記基準電圧ユニットと接続されるとともに、基準電圧を分圧して前記グレースケール値Ｇｓｋと対応するＧａｍｍａ電圧Ｇｓ−Ｖを生成して、前記サブ画素エリアＳに提供するものであり、
前記Ｇａｍｍａ電圧発生モジュールは、前記画素ユニットのグレースケール値Ｇｋに対して、前記手順Ｓ１０５で設定されたメイン画素エリアＭおよびサブ画素エリアＳのグレースケール値の組合せ（Ｇｍｋ、Ｇｓｋ）に基づき、
前記グレースケール値Ｇｍｋと対応するＧａｍｍａ電圧Ｇｍ−Ｖを生成して、前記メイン画素エリアＭに提供し、
前記グレースケール値Ｇｓｋと対応するＧａｍｍａ電圧Ｇｓ−Ｖを生成して、前記サブ画素エリアＳに提供するものであり、
さらに、前記第一分圧直列抵抗と第二分圧直列抵抗の中の、少なくとも０、Ｇｘ、Ｇｘ＋１及び最大グレースケール値ＧｍａｘのＧａｍｍａ電圧発生点は基準電圧と接続され、
このうち、Ｇｘは、前記画素ユニットのグレースケール値Ｇｋをメイン画素エリアＭのグレースケール値Ｇｍｋとサブ画素エリアＳのグレースケール値Ｇｓｋの組合せに変換する時の輝度反転と対応するグレースケール値Ｇｘである
ことを特徴とする。
【０００８】
なお、ｋは序数であって、Ｇｋはグレースケール値であり、ｋが０からｍａｘのときＧｋは０からＧｍａｘであって、
メイン画素エリアＭ及びサブ画素エリアＳのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【０００９】
本発明では、
前記第一分圧直列抵抗と第二分圧直列抵抗の中の、少なくとも０、Ｇｘ、Ｇｘ＋１及び最大グレースケール値ＧｍａｘのＧａｍｍａ電圧発生点は基準電圧と接続され、
このうち、Ｇｘは、前記画素ユニットのグレースケール値Ｇｋをメイン画素エリアＭのグレースケールＧｍｋとサブ画素エリアＳのグレースケール値Ｇｓｋの組合せに変換する時の輝度反転と対応するグレースケール値Ｇｘである
ことが好ましい。
【００１０】
本発明では、
前記正視角度αは０°であり、
前記斜視角度βは３０〜８０°である
ことが好ましい。
【００１１】
本発明では、
前記斜視角度βは６０°である
ことが好ましい。
【００１２】
本発明では、
前記最大グレースケール値Ｇｍａｘは２５５グレースケールである
ことが好ましい。
【００１３】
本発明では、
グレースケール値０、３２、１２８、Ｇｘ、Ｇｘ＋１、２２４及び２５５に対応するＧａｍｍａ電圧発生点は、基準電圧と接続される
ことが好ましい。
【００１４】
本発明では、
前記第一分圧直列抵抗と第二分圧直列抵抗に接続される基準電圧は、同等ではない
ことが好ましい。
【００１５】
本発明では、
前記液晶パネルの正視角度αと斜視角度βにおけるｇａｍｍａ曲線を取得するとともに、ｇａｍｍａ曲線に基づいて前記実際の輝度Ｌｖ（実）Ｔα（Ｇｋ）、Ｌｖ（実）Ｔβ（Ｇｋ）を決定する
ことが好ましい。
【００１６】
本発明では、
更に、手順Ｓ１０６を完了した後、画素ユニットのグレースケール値Ｇｋとメイン画素エリアＭのグレースケール値Ｇｍｋの関係Ｇｍ−Ｌｖ曲線、及び画素ユニットのグレースケール値Ｇｋとサブ画素エリアＳのとグレースケール値Ｇｓｋの関係Ｇｓ−Ｌｖ曲線を算出し、
さらに、
前記Ｇｍ−Ｌｖ曲線及びＧｓ−Ｌｖ曲線中に現れた特異点に対し、平滑化処理を行う
ことが好ましい。
【００１７】
本発明のＧａｍｍａ電圧発生モジュールは、前記Ｇａｍｍａ電圧発生モジュールの設計方法によって設計されたことを特徴とする。
【００１８】
本発明の液晶パネルは、
メイン画素エリアＭとサブ画素エリアＳとからなり、前記メイン画素エリアＭの面積と前記サブ画素エリアＳの面積との比はａ：ｂであってかつａ＞ｂである画素ユニットを複数有する液晶表示ユニットと、
前記液晶表示ユニットに走査信号を提供するゲート駆動モジュールと、
前記液晶表示ユニットにデータ信号を提供するソース駆動モジュールと、を備える液晶パネルであって、
さらに、前記Ｇａｍｍａ電圧発生モジュールを有し、
前記Ｇａｍｍａ電圧発生モジュールは、前記ソース駆動モジュールを介して
前記メイン画素エリアＭに前記Ｇａｍｍａ電圧Ｇｍ−Ｖを提供するとともに、前記サブ画素エリアＳに前記Ｇａｍｍａ電圧Ｇｓ−Ｖを提供する
ことを特徴とする。
【発明の効果】
【００１９】
従来技術と比較して、本発明が提供するＧａｍｍａ電圧発生ユニットは、二組の０−２５５グレースケールのＧａｍｍａ電圧を生じて、２Ｄ１Ｇ技術においてメイン画素エリアとサブ画素エリアをそれぞれ駆動することが出来る。
各組のＧａｍｍａ電圧に対しては、０、Ｇｘ、Ｇｘ＋１及び２５５グレースケールのＧａｍｍａ電圧発生点と基準電圧を接続して電圧の関連付けを行えば良く、関連付けされる電圧の数が少ないほど、駆動ＩＣの設計及び製造工程の難度が下がり、製造コストが削減される。
【図面の簡単な説明】
【００２０】
【図１】本発明の実施例における液晶パネルの構造概略図である。
【図２】本発明の実施例における液晶パネルの一部の画素ユニットの概略図である。
【図３】本発明の実施例におけるＧａｍｍａ電圧発生ユニットの構造概略図である。
【図４】本発明の実施例におけるグレースケール変換方法のフロー図である。
【図５】本発明の実施例のグレースケール変換方法における変換前のｇａｍｍａ曲線図である。
【図６】本発明の実施例のグレースケール変換方法における変換前のｇａｍｍａ曲線図である。
【図７】本発明の実施例におけるグレースケール変換後のグレースケールＧとグレースケールＧｍ、Ｇｓの関係曲線図である。
【図８】本発明の実施例で方法一を用いて図６に示した曲線図に平滑化処理をした後の図である。
【図９】本発明の実施例で方法二を用いて図６に示した曲線図に平滑化処理をする過程の図である。
【図１０】本発明の実施例で方法二を用いて図６に示した曲線図に平滑化処理をする過程の図である。
【図１１】本発明の実施例で方法二を用いて図６に示した曲線図に平滑化処理をした後の図である。
【図１２】本発明の実施例で算出されたＧｍ−Ｖ曲線とＧｓ−Ｖ曲線の図である。
【図１３】本発明の実施例において電圧関連付けが行われた後のＧｍ−Ｖ曲線とＧｓ−Ｖ曲線の図である。
【発明を実施するための形態】
【００２１】
本発明の技術的特長と構造について更に詳らかにするために、以下で実施例及び図面を参照しつつ詳述する。
【００２２】
図１は、本実施例が提供する液晶パネルの構造概略図である。
図２は、本実施例における液晶パネルの一部の画素ユニットの概略図である。
図１を参照する。
本実施例が提供する液晶パネルは、ソース駆動モジュール１０と、ゲート駆動モジュール２０と、液晶表示ユニット３０と、Ｇａｍｍａ電圧発生モジュール５０とからなる。
このうち、ソース駆動モジュール１０とゲート駆動モジュール２０は、それぞれシーケンス制御モジュール４０によって制御されるとともに、それぞれ液晶表示ユニット３０にデータ信号と走査信号を提供する。
このうち、液晶表示ユニット３０は複数個の画素ユニット１（図中ではあくまで例として一つのみを示している）からなり、各画素ユニット１はメイン画素エリア（Ｍａｉｎ  ｐｉｘｅｌ）Ｍと、サブ画素エリア（Ｓｕｂ  ｐｉｘｅｌ）Ｓとからなる。
メイン画素エリアＭとサブ画素エリアＳの面積比はａ：ｂである。
【００２３】
図２を参照する。
同一画素ユニット１におけるメイン画素エリアＭとサブ画素エリアＳは、異なるデータ線Ｄｎ・Ｄｎ＋１と同一の走査線Ｇｎに接続される。
データ線Ｄｎ・Ｄｎ＋１を通して、メイン画素エリアＭとサブ画素エリアＳに異なるグレースケール値のデータ信号がそれぞれ提供され、走査線Ｇｎを通して、メイン画素エリアＭとサブ画素エリアＳに走査信号が提供される。
即ち、同一画素ユニット１におけるメイン画素エリアＭとサブ画素エリアＳは同一の走査信号によってオンになる。
【００２４】
図３を参照する。
Ｇａｍｍａ電圧発生モジュール５０は、
分圧直列抵抗５２・５３に基準電圧を提供するための基準電圧ユニット５１と、
前記基準電圧ユニット５１と接続されて、基準電圧を分圧して０−２５５グレースケール値と対応するＧａｍｍａ電圧Ｇｍ−Ｖ（Ｇｍ−Ｖ０〜Ｇｍ−Ｖ２５５）を生成するとともに、ソース駆動モジュール１０を通して前記メイン画素エリアＭに提供する第一分圧直列抵抗５２と、
前記基準電圧ユニット５１と接続されて、基準電圧を分圧して０−２５５グレースケール値と対応するＧａｍｍａ電圧Ｇｓ−Ｖ（Ｇｓ−Ｖ０〜Ｇｓ−Ｖ２５５）を生成するとともに、ソース駆動モジュール１０を通して前記サブ画素エリアＳに提供する第二分圧直列抵抗５３と、からなる。
このうち、第一分圧直列抵抗５２において、０、３２、１２８、Ｇｘ、Ｇｘ＋１、２２４及び２５５グレースケール値のＧａｍｍａ電圧発生点は基準電圧ＶＦ１、ＶＦ２、ＶＦ４、ＶＦ５、ＶＦ６及びＶＦ７と接続されて、電圧の関連付けが行われる。
第二分圧直列抵抗５３において、０、３２、１２８、Ｇｘ、Ｇｘ＋１、２２４及び２５５グレースケール値のＧａｍｍａ電圧発生点は基準電圧ＶＦ１'、ＶＦ２'、ＶＦ４'、ＶＦ５'、ＶＦ６'及びＶＦ７'と接続されて電圧の関連付けが行われる。
また別の実施例では、第一分圧直列抵抗５２と第二分圧直列抵抗５３において関連付けされる基準電圧は、０、Ｇｘ、Ｇｘ＋１及び２５５グレースケール値のＧａｍｍａ電圧発生点とだけ接続されれば良い。
即ち、本発明が提供する技術手法では、第一分圧直列抵抗５２と第二分圧直列抵抗５３の中の少なくとも０、Ｇｘ、Ｇｘ＋１及び２５５グレースケール値のＧａｍｍａ電圧発生点に対して電圧の関連付けを行い、その他の点については実際の需要に応じて選択的に関連付けを行えば良い。
関連付けする基準電圧の数が多いほど、産出されるＧａｍｍａ電圧の精度も上がり、コストも高くなる。
関連付けする基準電圧の数が少ないほど、産出されるＧａｍｍａ電圧の精度も下がり、コストもこれに応じて低くなる。
【００２５】
上述に示した液晶パネルにおいて、メイン画素エリアとサブ画素エリアに異なるデータ信号（異なるグレースケール値）が入力されることにより、異なる正視輝度と斜視輝度が産出されて、側視或は斜視時に生じる色ズレの問題が減少する。
【００２６】
以上の基準電圧の関連付けに関わる過程において、Ｇｘは一つの画素ユニットのグレースケール値Ｇをメイン画素エリアＭのグレースケール値Ｇｍとサブ画素エリアＳのグレースケール値Ｇｓの組合せに変換する時の輝度反転と対応するグレースケール値である。
【００２７】
具体的には、一つの画素ユニットのグレースケールＧをメイン画素エリアＭのグレースケールＧｍとサブ画素エリアＳのグレースケールＧｓの組合せに変換するに当たり、本実施例では下記の方法を提供する。
図４のフロー図に示したように、前記方法は以下の手順を含む。
【００２８】
（ａ）前記液晶パネルの正視角度αにおける各グレースケール値Ｇｋの実際の輝度Ｌｖ（実）Ｔα（Ｇｋ）を取得する。
添字のｋは序数であって、Ｇｋはグレースケールの値である。
例えば、ｋが０〜２５５のとき、Ｇｋの値は０〜２５５である。
【００２９】
（ｂ）前記液晶パネルの斜視角度βにおける各グレースケール値Ｇｋの実際の輝度Ｌｖ（実）Ｔβ（Ｇｋ）を取得する。
【００３０】
（ｃ）前記メイン画素エリアＭの正視角度αと斜視角度βとにおける各グレースケール値Ｇｋの実際の輝度Ｌｖ（実）Ｍα（Ｇｋ）およびＬｖ（実）Ｍβ（Ｇｋ）をそれぞれ取得する。
前記サブ画素エリアＳの正視角度αと斜視角度βとにおける各グレースケール値Ｇｋの実際の輝度Ｌｖ（実）Ｓα（Ｇｋ）およびＬｖ（実）Ｓβ（Ｇｋ）をそれぞれ取得する。
具体的には、前記メイン画素エリアＭとサブ画素エリアＳとの面積比に基づき、実際の輝度Ｌｖ（実）Ｔα（Ｇｋ）とＬｖ（実）Ｔβ（Ｇｋ）を分割して、画素ユニットのグレースケール値Ｇｋに対するメイン画素エリアＭとサブ画素エリアＳの実際の輝度Ｌｖ（実）Ｍα（Ｇｋ）、Ｌｖ（実）Ｍβ（Ｇｋ）、Ｌｖ（実）Ｓα（Ｇｋ）とＬｖ（実）Ｓβ（Ｇｋ）を得る。
下記の関係式に従って分割を行う。
【００３１】
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）Ｔα（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）Ｔβ（Ｇｋ）、
【００３２】
（ｄ）  手順（ａ）と（ｂ）で取得した最大グレースケール値Ｇｍａｘの画素ユニットの実際の輝度（Ｌｖ（実）Ｔα（Ｇｍａｘ）、Ｌｖ（実）Ｔβ（Ｇｍａｘ））に基づき、各グレースケール値Ｇｋの理論輝度（Ｌｖ（理）Ｔα（Ｇｋ）、Ｌｖ（理）Ｔβ（Ｇｋ））を計算する。
例えば、画素ユニットが最大グレースケール値Ｇｍａｘのときの実際の輝度Ｌｖ（実）Ｔα（Ｇｍａｘ）とＬｖ（実）Ｔβ（Ｇｍａｘ）に、
【００３３】
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））
（Ｇｋ／Ｇｍａｘ）γ＝（Ｌｖ（理）Ｔβ（Ｇｋ）／Ｌｖ（実）Ｔβ（Ｇｍａｘ））
を組合せて、正視角度αと斜視角度βとにおける各グレースケール値Ｇｋでの理論輝度Ｌｖ（理）Ｔα（Ｇｋ）、Ｌｖ（理）Ｔβ（Ｇｋ）を算出する。
【００３４】
（ｅ）  画素ユニットのグレースケール値Ｇｋに対して、メイン画素エリアＭおよびサブ画素エリアＳのグレースケール値の組み合せ（Ｇｍｋ、Ｇｓｋ）を設定する。
メイン画素エリアＭ及びサブ画素エリアＳのグレースケール値をそれぞれＧｍｋ及びＧｓｋと表わすとする。
Ｇｍｋ、Ｇｓｋはグレースケール値であって、すなわち、Ｇｍｋ、Ｇｓｋは０−Ｇｍａｘのいずれかの値である。
ここで、ｉ、ｊが｛０・・・ｋ・・・ｍａｘ｝から選択された数（序数）であって、ｉ≠ｊであるときにＧｍｉ＝Ｇｍｊであったり、Ｇｓｉ＝Ｇｓｊであったりすることを許す。
このとき、正視角度αにおいて、グレースケール値Ｇｍｋに対応するメイン画素エリアＭの発光輝度を輝度Ｌｖ（実）Ｍα（Ｇｍｋ）で表す。
正視角度αにおいて、グレースケール値Ｇｓｋに対応するサブ画素エリアＳの発光輝度を輝度Ｌｖ（実）Ｓα（Ｇｓｋ）で表す。
同じく、斜視角度βにおいて、グレースケール値Ｇｍｋに対応するメイン画素エリアＭの発光輝度を輝度Ｌｖ（実）Ｍβ（Ｇｍｋ）で表す。
斜視角度βにおいて、グレースケール値Ｇｓｋに対応するサブ画素エリアＳの発光輝度を輝度Ｌｖ（実）Ｓβ（Ｇｓｋ）で表す。
そして、画素ユニットのグレースケール値Ｇｋに対して、メイン画素エリアＭおよびサブ画素エリアＳのグレースケール値の組合せ（Ｇｍｋ、Ｇｓｋ）を以下の関係式によって設定することで、正視角度αと斜視角度βにおいて、実際の輝度と理論輝度との差の和が最小となるようにする。
手順（ｃ）の結果から得られた実際の輝度Ｌｖ（実）Ｍα（Ｇｋ）、Ｌｖ（実）Ｍβ（Ｇｋ）、Ｌｖ（実）Ｓα（Ｇｋ）、Ｌｖ（実）Ｓβ（Ｇｋ）に基づき、且つ手順（ｄ）の結果から得られた理論輝度Ｌｖ（理）Ｔα（Ｇｋ）とＬｖ（理）Ｔβ（Ｇｋ）に基づき、以下の関係式を計算する。
【００３５】
ここで、例えば、Ｌｖ（実）Ｍα（Ｇｋ）は、｛Ｌｖ（実）Ｍα（０）、Ｌｖ（実）Ｍα（１）、・・・・、Ｌｖ（実）Ｍα（２５５）・・・｝であって、グレースケール値Ｇｋに対応するメイン画素エリアＭの実際の発光輝度がＬｖ（実）Ｍα（Ｇｋ）ということである。
この表記に倣って、例えば、次のように解釈されたい。
｛Ｌｖ（実）Ｍα（Ｇｍｋ）｝は｛Ｌｖ（実）Ｍα（Ｇｋ）｝と同じであり、すなわち、Ｌｖ（実）Ｍα（Ｇｍｋ）は｛Ｌｖ（実）Ｍα（Ｇｋ）｝のなかから選択される一つの値である。
｛Ｌｖ（実）Ｓα（Ｇｓｋ）｝は｛Ｌｖ（実）Ｓα（Ｇｋ）｝と同じであり、すなわち、Ｌｖ（実）Ｓα（Ｇｓｋ）は｛Ｌｖ（実）Ｓα（Ｇｋ）｝のなかから選択される一つの値である。
｛Ｌｖ（実）Ｍβ（Ｇｍｋ）｝は｛Ｌｖ（実）Ｍβ（Ｇｋ）｝と同じであり、すなわち、Ｌｖ（実）Ｍβ（Ｇｍｋ）は｛Ｌｖ（実）Ｍβ（Ｇｋ）｝のなかから選択される一つの値である。
｛Ｌｖ（実）Ｓβ（Ｇｓｋ）｝は｛Ｌｖ（実）Ｓβ（Ｇｋ）｝と同じであり、すなわち、Ｌｖ（実）Ｓβ（Ｇｓｋ）は｛Ｌｖ（実）Ｓβ（Ｇｋ）｝のなかから選択される一つの値である。
【００３６】
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
【００３７】
画素ユニットのグレースケール値Ｇｋを決めれば、Ｌｖ（理）Ｔα（Ｇｋ）は決まる値である（手順（ｄ）ですでに求まっている）。
同じくグレースケール値Ｇｋを決めれば、Ｌｖ（理）Ｔβ（Ｇｋ）は決まる値である（手順（ｄ）ですでに求まっている）。
Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝、｛Ｌｖ（実）Ｓβ（Ｇｓｋ）｝をすべての組み合わせで上記の式に代入して試算し、画素ユニットのグレースケール値Ｇｋに対して、ｙｋが最小値となるグレースケール値Ｇｍｋ、Ｇｓｋの組みを求める。
【００３８】
（ｆ）画素ユニットの各グレースケール値Ｇｋに対して、手順（ｅ）を繰返し、全てのグレースケール値Ｇｋに対してメイン画素エリアＭとサブ画素エリアＳのグレースケール値の組み（Ｇｍｋ、Ｇｓｋ）を求める。
【００３９】
本実施例において、正視角度αは０°であり、斜視角度βは６０°である。
その他の実施例において、斜視角度βは３０〜８０°の範囲内で選択されることも可能である。
このうち、正視角度は液晶表示器の正視角方向であり、斜視角度は液晶表示器の正視角方向に対して形成される角度である。
【００４０】
本実施例において、前記液晶パネルのグレースケール値は２５６個のグレースケール値（０〜２５５）からなり、このうち最大グレースケール値Ｇｍａｘは２５５グレースケールである。
【００４１】
メイン画素エリアＭとサブ画素エリアＳの面積比ａ：ｂ＝２：１、正視角度α＝０°、斜視角度β＝６０°を具体例とする。
【００４２】
まず、液晶パネルの正視角度０°及び斜視角度６０°におけるｇａｍｍａ曲線を取得する（図５参照）。
前記ｇａｍｍａ曲線に基づき、正視角度０°及び斜視角度６０°における各グレースケール値Ｇｋ（０〜２５５）の実際の輝度Ｌｖ（実）Ｔ０（Ｇｋ）及びＬｖ（実）Ｔ６０（Ｇｋ）を決定する。
【００４３】
続いて、メイン画素エリアＭとサブ画素エリアＳの面積比ａ：ｂ＝２：１に従って、
実際の輝度Ｌｖ（実）Ｔ０（Ｇｋ）、Ｌｖ（実）Ｔ６０（Ｇｋ）を、
Ｌｖ（実）Ｍ０（Ｇｋ）、
Ｌｖ（実）Ｓ０（Ｇｋ）、
Ｌｖ（実）Ｍ６０（Ｇｋ）及び
Ｌｖ（実）Ｓ６０（Ｇｋ）に分割する。
【００４４】
これにより、メイン画素エリアＭの正視角度０°と斜視角度６０°における各グレースケール値Ｇｋ（０〜２５５）の実際の輝度Ｌｖ（実）Ｍ０（Ｇｋ）及びＬｖ（実）Ｍ６０（Ｇｋ）を取得する。
また、サブ画素エリアＳの正視角度０°と斜視角度６０°における各グレースケール値Ｇｋ（０〜２５５）の実際の輝度Ｌｖ（実）Ｓ０（Ｇｋ）及びＬｖ（実）Ｓ６０（Ｇｋ）を取得する。
これにより、画素ユニットのグレースケール値Ｇｋに対するメイン画素エリアＭとサブ画素エリアＳの実際の輝度の対応関係を樹立する。
【００４５】
Ｌｖ（実）Ｍ０（Ｇｋ）、Ｌｖ（実）Ｓ０（Ｇｋ）、Ｌｖ（実）Ｍ６０（Ｇｋ）及びＬｖ（実）Ｓ６０（Ｇｋ）は、以下の関係式を満たす。
【００４６】
Ｌｖ（実）Ｍ０（Ｇｋ）：Ｌｖ（実）Ｓ０（Ｇｋ）＝２：１、
Ｌｖ（実）Ｍ０（Ｇｋ）＋Ｌｖ（実）Ｓ０（Ｇｋ）＝Ｌｖ（実）Ｔ０（Ｇｋ）、
Ｌｖ（実）Ｍ６０（Ｇｋ）：Ｌｖ（実）Ｓ６０（Ｇｋ）＝２：１、
Ｌｖ（実）Ｍ６０（Ｇｋ）＋Ｌｖ（実）Ｓ６０（Ｇｋ）＝Ｌｖ（実）Ｔ６０（Ｇｋ）
【００４７】
更に、最高グレースケール値（２５５）の実際の輝度Ｌｖ（実）Ｔ０（２５５）及びＬｖ（実）Ｔ６０（２５５）に基づき、
【００４８】
Ｇａｍｍａ（γ）＝２．２、
（Ｇｋ／２５５）γ＝（Ｌｖ（理）Ｔ０（Ｇｋ）／Ｌｖ（実）Ｔ０（２５５））
（Ｇｋ／２５５）γ＝（Ｌｖ（理）Ｔ６０（Ｇｋ）／Ｌｖ（実）Ｔ６０（２５５））
を組合せて、正視角度０°と斜視角度６０°における各グレースケール値Ｇ（０−２５５）の理論輝度Ｌｖ（理）Ｔ０（Ｇｋ）及びＬｖ（理）Ｔ６０（Ｇｋ）（Ｇｋは０〜２５５）を算出し、グレースケール値Ｇｋと理論輝度Ｌｖ（理）Ｔ０（Ｇｋ）、Ｌｖ（理）Ｔ６０（Ｇｋ）の対応関係を樹立する。
【００４９】
更に、画素ユニットのグレースケール値Ｇｋ（Ｇｋは０〜２５５の中の一つである）に対し、メイン画素エリアＭ及びサブ画素エリアＳのグレースケール値の組み合わせ（Ｇｍｋ、Ｇｓｋ）を設定する。
前述で樹立した画素ユニットのグレースケール値Ｇｋに対するメイン画素エリアＭとサブ画素エリアＳの実際の輝度Ｌｖ（実）Ｍ０（Ｇｋ）、Ｌｖ（実）Ｓ０（Ｇｋ）、Ｌｖ（実）Ｍ６０（Ｇｋ）、Ｌｖ（実）Ｓ６０（Ｇｋ）の対応関係に基づき、グレースケール値Ｇｍｋ及びＧｓｋと対応する実際の輝度Ｌｖ（実）Ｍ０（Ｇｍｋ）、Ｌｖ（実）Ｓ０（Ｇｓｋ）、Ｌｖ（実）Ｍ６０（Ｇｍｋ）、Ｌｖ（実）Ｓ６０（Ｇｓｋ）を取得し、且つ前述で樹立したグレースケール値Ｇｋと理論輝度Ｌｖ（理）Ｔ０（Ｇｋ）、Ｌｖ（理）Ｔ６０（Ｇｋ）の対応関係に基づき、グレースケール値Ｇｋと対応する理論輝度Ｌｖ（理）Ｔ０（Ｇｋ）、Ｌｖ（理）Ｔ６０（Ｇｋ）を取得して、以下の関係式を計算する。
【００５０】
Δ１ｋ＝Ｌｖ（実）Ｍ０（Ｇｍｋ）＋Ｌｖ（実）Ｓ０（Ｇｓｋ）−Ｌｖ（理）T０（Ｇｋ）、
Δ２ｋ＝Ｌｖ（実）Ｍ６０（Ｇｍｋ）＋Ｌｖ（実）Ｓ６０（Ｇｓｋ）−Ｌｖ（理）T６０（Ｇｋ）、
ｙｋ＝Δ１ｋ２＋Δ２ｋ２
【００５１】
ＧｍｋとＧｓｋの値の組合せを複数回試すことを通して、ＧｍｋとＧｓｋの値の組合せによって上記式中のｙｋが最小値を得た時、この時のグレースケール値ＧｍｋとＧｓｋを画素ユニットのグレースケール値Ｇｋ時においてメイン画素エリアＭとサブ画素エリアＳにそれぞれ入力されるグレースケール値Ｇｍｋ、Ｇｓｋとして設定する。
【００５２】
最後に、画素ユニットの各グレースケール値Ｇｋ（０−２５５）に対して、前記手順を繰り返し、最終的には全てのグレースケール値Ｇｋ（０−２５５）においてメイン画素エリアＭとサブ画素エリアＳにそれぞれ入力されるグレースケール値Ｇｍｋ、Ｇｓｋを取得する。
【００５３】
本実施例において、メイン画素エリアＭとサブ画素エリアＳのグレースケール値に対して調整を行った後、液晶パネルの正視角度０°と斜視角度６０°におけるｇａｍｍａ曲線は図６に示したようになる。
画素ユニットのグレースケール値Ｇｋに対してメイン画素エリアＭとサブ画素エリアＳのグレースケール値の設定を行うことにより、正視角度と斜視角度において、得られるｇａｍｍａ曲線がいずれもｇａｍｍａ（γ）＝２．２に近づき、色ズレの問題が減少すると同時に、良好な表示効果が得られ、正視角度の表示効果に明らかな変化が生じないことを保証した上で、大視野角での光漏れや色ズレの問題が改善される。
【００５４】
図７は、以上の手順に従って設定した後の、画素ユニットのグレースケール値Ｇｋに対するメイン画素エリアＭのグレースケール値Ｇｍｋの関係Ｇｍ−Ｌｖ曲線、及びグレースケール値Ｇｋに対するサブ画素エリアＳのグレースケール値Ｇｓｋの関係Ｇｓ−Ｌｖ曲線の図を示している。
図７に示した関係曲線において、１５７グレースケールでグレースケール反転が見られ、且つ曲線上には多くの特異な離散数値点が見られる。
これは液晶表示器の表示品質に影響する。
この問題を改善するため、下記の方法を用いて関係曲線に対する平滑化処理を行うことが可能である。
【００５５】
（１）局所加重回帰散布図平滑化法（ｌｏｃａｌｌｙ  ｗｅｉｇｈｔｅｄ  ｓｃａｔｔｅｒ  ｐｌｏｔ  ｓｍｏｏｔｈｉｎｇ、ＬＯＷＥＳＳ或はＬＯＥＳＳ）を用いて平滑化処理を行う。
ＬＯＷＥＳＳ法は、移動平均技術と類似しており、指定ウィンドウ内において、各点の数値はいずれもウィンドウ内で近接するデータを用いて加重回帰することで得られ、線形或は二次の回帰方程式を用いることが出来る。
もし指定ウィンドウの幅内で、平滑化しようとするデータ点両側における平滑化を行うデータ点が同等であれば、対称ＬＯＷＥＳＳであり、もし両側のデータ点が不等であれば、非対称ＬＯＷＥＳＳである。
一般的に、ＬＯＷＥＳＳ法は以下の手順を含む。
【００５６】
（ａ１）指定ウィンドウ内の各データ点における初期加重を計算する。
加重関数は一般に数値間におけるユークリッド距離の比の三次関数として表される。
【００５７】
（ｂ１）初始加重を利用して回帰推定を行い、推定式の残差を利用して安定的な重み関数を定義し、新しい加重を計算する。
【００５８】
（ｃ１）新しい加重を利用して手順（ｂ１）を繰返し、途切れることなく重み関数を修正し、第Ｎ回の収束の後、多項式と加重に基づいて任意の点における滑らかな値が得られる。
【００５９】
ＬＯＷＥＳＳ法を利用してデータ平滑化処理を行う重要パラメータはウィンドウ幅の選択にある。
ウィンドウ幅が大き過ぎると滑らかさを描く際にカバーする履歴データが多過ぎて、最新値の情報が平滑化値に与える影響が低下してしまう。
逆に、狭過ぎるウィンドウ幅では"平滑化"後のデータが平滑とは言えなくなる。
【００６０】
本実施例において、ＬＯＷＥＳＳ法に従って処理した後のグレースケール値Ｇｋとグレースケール値Ｇｍｋ、Ｇｓｋの関係曲線図を図８に示した。
図は、メイン画素エリアＭのＧｍ−Ｌｖ曲線とサブ画素エリアＳのＧｓ−Ｌｖ曲線を含む。
処理後の関係曲線は平滑であり、初期計算時に見られた誤差が修正されており、液晶表示器の表示品質が向上する。
【００６１】
（２）冪関数を用いてあてはめ処理をする。
グレースケール反転（例えば本実施例における１５７グレースケール）の後に曲線あてはめを行う。
このうち、本実施例において用いられる冪関数の数式は：ｆ＝ｍ＊ｘ＾ｎ＋ｋである。
【００６２】
図９と図１０は冪関数あてはめ過程を示している。
このうち、図９は、画素ユニットのグレースケール値Ｇｋに対するサブ画素エリアＳのグレースケール値Ｇｓｋの関係Ｇｓ−Ｌｖ曲線に対してあてはめを行う際の図であり、図中の横座標はグレースケール反転から始まるグレースケール値を表し、縦座標はサブ画素エリアＳと対応するグレースケール値Ｇｓｋを表し、曲線ｐｏｗｅｒ１はあてはめで得られた曲線である。
図１０は、画素ユニットのグレースケール値Ｇｋに対するメイン画素エリアＭのグレースケール値Ｇｍｋの関係Ｇｍ−Ｌｖ曲線に対してあてはめを行う際の図であり、図中の横座標はグレースケール反転から始まるグレースケール値を表し、縦座標はメイン画素エリアＭと対応するグレースケール値Ｇｍｋを表し、曲線ｐｏｗｅｒ２はあてはめで得られた曲線である。
【００６３】
本実施例において、冪関数あてはめ処理方法に従って処理した後のグレースケール値Ｇとグレースケール値Ｇｍｋ、Ｇｓｋの関係曲線図を図１１に示した。
図は、メイン画素エリアＭのＧｍ−Ｌｖ曲線とサブ画素エリアＳのＧｓ−Ｌｖ曲線を含む。
処理を経た後の関係曲線は平滑であり、液晶表示器の表示品質が向上する。
加えて、冪関数を用いてあてはめを行う方法は簡単で素早く、正確である。
【００６４】
前述で得られたＧｍ−Ｌｖ曲線とＧｓ−Ｌｖ曲線と、メイン画素エリアＭおよびサブ画素エリアＳがグレースケール値Ｇｍｋ、Ｇｓｋで必要とする電圧値Ｖを算出し、Ｇｍ−Ｖ曲線とＧｓ−Ｖ曲線に変換することが出来る（図１２参照。図は、メイン画素エリアＭのＧｍ−Ｖ曲線とサブ画素エリアＳのＧｓ−Ｖ曲線を含む）。
【００６５】
グレースケール値Ｇｋとグレースケール値Ｇｍｋ、Ｇｓｋの関係曲線図７、８、１１に示したように、本実施例において、画素ユニットのグレースケール値Ｇｋをメイン画素エリアＭのグレースケール値Ｇｍｋとサブ画素エリアＳのグレースケール値Ｇｓｋの組合せに変換する時、輝度反転と対応するグレースケールは１５７である。
即ち、本実施例において、Ｇｘ＝１５７である。
よって、第一分圧直列抵抗５２と第二分圧直列抵抗５３の中で関連付けされる基準電圧点は、０、３２、１２８、１５７、１５８、２２４及び２５５グレースケール値である。
【００６６】
グレースケール値０、３２、１２８、１５７、１５８、２２４及び２５５に対して基準電圧の関連付けを通して得られたＧｍ−Ｖ曲線とＧｓ−Ｖ曲線を図１３に示した。
図は、メイン画素エリアＭの電圧関連付け後に得られたＧｍ−Ｖ曲線とサブ画素エリアＳの電圧関連付け後に得られたＧｓ−Ｖ曲線を含む。
【００６７】
上述を総じて言えば、本発明の実施例が提供する液晶パネルは、各画素ユニットを面積が異なるメイン画素エリアＭとサブ画素エリアＳに分けて、メイン画素エリアＭとサブ画素エリアＳに異なるデータ信号（異なるグレースケール値Ｇｍｋ、Ｇｓｋ）を入力することを通して、異なる正視輝度と斜視輝度を産出することにより、側視或は斜視時に生じる色ズレの問題を減らすことが出来る。
このうち、本発明の実施例が提供するＧａｍｍａ電圧発生モジュールは二組の０−２５５グレースケール値のＧａｍｍａ電圧を発生させて、２Ｄ１Ｇ技術においてメイン画素エリアＭとサブ画素エリアＳをそれぞれ駆動することが出来る。
各組のＧａｍｍａ電圧に対しては、０、Ｇｘ、Ｇｘ＋１及び２５５グレースケール値のＧａｍｍａ電圧発生点が基準電圧と接続されて電圧の関連付けが行われるようにすれば良く、関連付けされる電圧の数が少なく、駆動ＩＣの設計及び製造工程の難度が下がり、製造コストの削減が可能になる。
【００６８】
以上の記述はあくまで本申請における具体的な実施形態であり、当然ながら本技術分野の一般的な技術員であれば、本申請の原理に基づくことを前提とした上で、いくつかの改善や装飾を加えることが可能であり、これらの改善や装飾は本申請の保護範囲内に含まれると見做される。
【符号の説明】
【００６９】
１０  ソース駆動モジュール
２０  ゲート駆動モジュール
３０  液晶表示ユニット
４０  シーケンス制御モジュール
５０  Ｇａｍｍａ電圧発生モジュール
５１  基準電圧ユニット
５２、５３    分圧直列抵抗
１    画素ユニット
Ｍ    メイン画素エリア
Ｓ    サブ画素エリア
Ｄｎ、Ｄｎ＋１    データ線
Ｇｎ  走査線
ＶＦ１、ＶＦ２、ＶＦ４、ＶＦ５、ＶＦ６、ＶＦ７、ＶＦ１'、ＶＦ２'、ＶＦ４'、ＶＦ５'、ＶＦ６'、ＶＦ７'  基準電圧
【図１】
0006542873.tif 000002
【図２】
0006542873.tif 000003
【図３】
0006542873.tif 000004
【図４】
0006542873.tif 000005
【図５】
0006542873.tif 000006
【図６】
0006542873.tif 000007
【図７】
0006542873.tif 000008
【図８】
0006542873.tif 000009
【図９】
0006542873.tif 000010
【図１０】
0006542873.tif 000011
【図１１】
0006542873.tif 000012
【図１２】
0006542873.tif 000013
【図１３】
0006542873.tif 000014